(57)【要約】【課題】多彩な表現を可能にした連続セグメント表示装置を安価に提供する。【解決手段】従来の７セグメント表示形態の縦方向に左右両端で対向する縦セグメントのうち一方の上下一対の縦セグメントを取り除いたものを２個組み合わせて、日の字形に構成した基本表示パターン１０を横方向に等間隔で３個並べ、該基本表示パターン１０の間に横セグメント１２ａ，１２ｂ，１２ｃと同様に形成して配列した連結セグメント３０ａ，３０ｂ，３０ｃを挿入し、各基本表示パターン１０の上中下段に配した横セグメント１２ａ，１２ｂ，１２ｃと連結セグメント３０ａ，３０ｂ，３０ｃとが、上中下段それぞれで、連続した横一直線を形成するように連続セグメント表示装置２０の表示パターンを構成した。【選択図】図２
2008228952.tif 000002
【特許請求の範囲】
【請求項１】
発光表示素子からなるセグメントを点滅させて文字等を表示する表示パターンを、
７個のセグメントの組合せで文字等を表示する７セグメント配列形態から、縦方向で対向する一方の上下一対のセグメントを取り除いた配列形態を２個組合せて日の字形の基本表示パターンを構成し、
該基本表示パターンを横方向に等間隔で複数個整列し、
該基本表示パターンの上中下各段に配された横方向のセグメントと同様に形成して配列した連結セグメントを前記各基本表示パターンの間に挿入して、
上中下各段に配されるセグメントがそれぞれ連続して横一直線をなす表示パターンとしたことを特徴とする連続セグメント表示装置。
【請求項２】
前記基本表示パターンに２個の縦方向のセグメントを配置して、該基本表示パターンを田の字形としたことを特徴とする請求項１に記載の連続セグメント表示装置。
【請求項３】
前記セグメントがＬＥＤからなることを特徴とする請求項１若しくは請求項２に記載の連続セグメント表示装置。
【請求項４】
前記セグメントが液晶からなることを特徴とする請求項１若しくは請求項２に記載の連続セグメント表示装置。
【請求項５】
前記セグメントが有機ＥＬからなることを特徴とする請求項１若しくは請求項２に記載の連続セグメント表示装置。
【請求項６】
前記セグメントを赤色、緑色、若しくは青色を組合せて発光させて、該セグメントがフルカラー発光するようにしたことを特徴とする請求項１乃至請求項５のいずれかに記載の連続セグメント表示装置。
【発明の詳細な説明】
【技術分野】
【０００１】
本発明は、遊技機等に適用される連続セグメント表示装置に関する。
【背景技術】
【０００２】
従来、遊技機と連動して文字や数字等を表示するセグメント表示装置は、日の字形に配列した７本のセグメント表示素子からなる７セグメント表示部を、少なくとも３個横方向に並設して、該７セグメント表示部の発光パターンを制御して文字や数字等を表示している。
【特許文献１】引用なし
【発明の開示】
【発明が解決しようとする課題】
【０００３】
しかしながら、上記のセグメント表示装置では、隣り合う表示装置の間に隙間があるため、画面上に表示される文字が間延びした印象を与えてしまう。また、文字間のバランスが悪く、見栄えが悪かった。
そこで、近年は表示パネル上に点状の表示素子を配したドットマトリクス表示装置が用いられている。この装置は、表示素子数を増やして、文字等表示の制限を解決している。
しかし、ドットマトリクス表示装置は、多彩な表現をすることができる一方で、表示パネル上に表示素子を多数配列しなければならない。そのため、制御回路等が複雑となりコストが高くなる問題がある。
【０００４】
本発明は、上記の課題を解決するためになされたものであって、多彩な表現を可能にした連続セグメント表示装置を安価に提供することを目的とする。
【課題を解決するための手段】
【０００５】
請求項１に記載の連続セグメント表示装置は、発光表示素子からなるセグメントを点滅させて文字等を表示する表示パターンを、７個のセグメントの組合せで文字等を表示する７セグメント配列形態から、縦方向で対向する一方の上下一対のセグメントを取り除いた配列形態を２個組合せて日の字形の基本表示パターンを構成し、該基本表示パターンを横方向に等間隔で複数個整列し、該基本表示パターンの上中下各段に配された横方向のセグメントと同様に形成して配列した連結セグメントを前記各基本表示パターンの間に挿入して、上中下各段に配されるセグメントがそれぞれ連続して横一直線をなす表示パターンとしたことを特徴とする。
【０００６】
請求項２に記載の発明は、請求項１に記載の連続セグメント表示装置において、前記基本表示パターンに２個の縦方向のセグメントを配置して、該基本表示パターンを田の字形としたことを特徴とする。
【０００７】
請求項３に記載の発明は、請求項１若しくは請求項２に記載の連続セグメント表示装置において、前記セグメントがＬＥＤからなることを特徴とする。
【０００８】
請求項４に記載の発明は、請求項１若しくは請求項２に記載の連続セグメント表示装置において、前記セグメントが液晶からなることを特徴とする。
【０００９】
請求項５に記載の発明は、請求項１若しくは請求項２に記載の連続セグメント表示装置において、前記セグメントが有機ＥＬからなることを特徴とする。
【００１０】
請求項６に記載の発明は、請求項１乃至請求項５のいずれかに記載の連続セグメント表示装置において、前記セグメントを赤色、緑色、若しくは青色を組合せて発光させて、該セグメントがフルカラー発光するようにしたことを特徴とする。
【発明の効果】
【００１１】
請求項１に記載の連続セグメント表示装置によれば、点滅表示される表示パターンを、等間隔を置いて横方向に整列させた基本表示パターンの間を連結セグメントで連結して、該表示パターンの上中下段に配される横方向のセグメントが連続して横一直線をなすように構成した。そのため、各基本表示パターンのセグメントと、隣り合う基本表示パターンの間を連結した連結セグメントとを利用して文字や数字等を表示することができる。したがって、７セグメント配列形態が互いに独立している従来の表示装置と比して、多彩な表現が可能となる効果を得られる。また、ドットマトリクス型表示装置に比して、表示パターンを構成するセグメント数が少ないので、表示装置及び表示装置の回路等が安価に構成できる。
【００１２】
請求項２に記載の連続セグメント表示装置によれば、請求項１に記載の基本表示パターンを田の字形とし、従来の７セグメント表示パターンが横方向に連設されているようにした。したがって、文字等の表示の間隔を詰めて表示することができる。また、各セグメントが順次点滅することにより、文字や数字等が横方向等へ移行する状態を表現をすることができる。
【００１３】
請求項３乃至請求項５に記載の連続セグメント表示装置によれば、セグメントをＬＥＤ、液晶、有機ＥＬのいずれかとした。これ等に共通する効果としては、連続セグメント表示装置の電力消費を抑えることができ、該表示装置の製品寿命を長くすることができることが挙げられる。
【００１４】
そして、ＬＥＤを用いた場合には、素子自体が安価で製造されるので、連続セグメント表示装置を安価に製造することができる。また、液晶を用いた場合には、連続セグメント表示装置の表示パネルを一体成形できるので、該連続セグメント表示装置の組み立てを容易にすることができる。また、有機ＥＬを用いた場合には、電界発光させる際に電源を直流へ変換する必要が無く交流電圧によって各セグメントを発光させることができるので、連続セグメント表示装置自体の構造を簡略化することができ、該連続セグメント表示装置を安価に製造することができる。
【００１５】
請求項６に記載の連続セグメント表示装置によれば、セグメントを赤色、緑色、若しくは青色の組合せで発光させるＲＧＢ表色系としたので、連続セグメント表示装置をフルカラーで発光させることができる。そのため、表現可能な色彩の範囲を広げることができる。
【実施例１】
【００１６】
以下に本発明の第１実施例について、添付した図面にしたがって説明する。図１に本実施例の連続セグメント表示装置２０を構成する基本表示パターン１０の正面図を示し、図２に、連続セグメント表示装置２０の正面図を示す。
【００１７】
図１に示すように、基本表示パターン１０は、従来の７セグメント表示形態の縦方向に左右両端で対向する縦セグメントのうち一方の上下一対の縦セグメントを取り除いたものを２個組み合わせて、日の字形に構成したものである。
【００１８】
該基本表示パターン１０は、縦長の略六角形に形成された上縦セグメント１１ａ及び下縦セグメント１１ｂが左右両端で対向している。そして、該上縦セグメント１１ａ及び該下縦セグメント１１ｂの間に、横長で上辺が長い台形状に形成された横セグメント１２ａ、１２ａが上段に挿入され、横長で下辺が長い台形状に形成された横セグメント１２ｂ，１２ｂが下段に挿入され、中段には横長の六角形に形成された横セグメント１２ｃ，１２ｃが挿入されている。上中下段に挿入された横セグメント１２ａ，１２ｂ，１２ｃは上下方向に等間隔で配置されている。
【００１９】
そして、図２に示すように、連続セグメント表示装置２０の表示パターンは、上記の基本表示パターン１０を横方向に等間隔で３個並べ、該基本表示パターン１０の間には、横セグメント１２ａ，１２ｂ，１２ｃと同形状に形成された連結セグメント３０ａ，３０ｂ，３０ｃを配した。そのため、各基本表示パターン１０の上中下段に配した横セグメント１２ａ，１２ｂ，１２ｃと連結セグメント３０ａ，３０ｂ，３０ｃとによって、連結セグメント２０の表示パターンは、上中下段それぞれが、横一直線上に連続している。
【００２０】
ここで、各セグメントを形成する発光素子は、赤色、緑色、若しくは青色に発光する機能を有する発光ダイオード（ＬＥＤ）で形成されている。そのため、各セグメントは赤、緑、青を組み合わせて色を表すＲＧＢ表色系によってフルカラーで発光させることができる。また、上記ＬＥＤに代えて、同様の発光機能を有する液晶、有機ＥＬ等を用いることもできる。さらに、制御装置（図示せず）によって、それぞれ各セグメント毎に点滅等の発光パターンや発光色等が制御されている。
【００２１】
上記した構成の連続セグメント表示装置２０を遊技機の表示装置に適用した場合の使用方法を以下に示す。図３（ａ）（ｂ）（ｃ）は、連続セグメント表示装置２０の表示パターンの一例を示したものである。図中において黒く塗りつぶしたセグメントが実際には上記のように制御されてフルカラーで発色している部分である。
【００２２】
図３（ａ）は、遊技機と連動した連続セグメント表示装置２０の基本表示パターン１０の部分にそれぞれ数字「７」「２」「４」が表示された例を示したものである。また、図３（ｂ），（ｃ）に示したように、基本表示パターン１０及び隙間セグメント３０ａ，３０ｂ，３０ｃを予めプログラムされた点滅発光パターンにより、上段、中段、下段と順次点滅させ、それと連動して縦セグメント１１ａ，１１ｂが点滅するように発光させる。そうすると例えば、山模様、谷模様が交互に表示されて波模様等を表現することができる。また、時系列にしたがって、発光するセグメントを横方向へ順次点滅させていけば、横方向へ文字や数字等が移行するように表現することができる。このように連続セグメント表示装置２０では、数字のみならず表示された文字や数字、模様等が移動する動的な表現が可能になる。
【実施例２】
【００２３】
図４に第２実施例に係る第２基本表示パターン１０Ａを示し、図５に３個の第２基本表示パターン１０Ａからなる連続セグメント表示装置２０Ａを示す。
【００２４】
第２基本表示パターン１０Ａは、第１実施例の基本表示パターン１０に中心上縦セグメント１３ａと中心下縦セグメント１３ｂとを追加し、田の字形に構成したものである。
【００２５】
そして、連続セグメント表示装置２０Ａの表示パターンは、田の字形に配列された第２基本表示パターン１０Ａを３個等間隔に並べ、該第２基本表示パターン１０Ａの間に、第１実施例と同じように連結セグメント３０ａ，３０ｂ，３０ｃを配置して構成したものである。
【００２６】
連続セグメント表示装置２０Ａの表示パターンは、縦セグメント１１ａ，１１ｂ及び中心上縦セグメント１３ａ、中心下縦セグメント１３ｂがそれぞれ形成する縦方向の直線が横方向に連続して等間隔で並べられている。そのため、上中下各段で横一直線を形成する横セグメント１２ａ，１２ｂ，１２ｃと連結セグメント３０ａ，３０ｂ，３０ｃとによって、格子状に配列された表示パターンになっている。また、その他各セグメントを形成する発光素子及び制御装置は、第１実施例と同様であるため説明を省略する。
【００２７】
上記した構成の第２実施例に係る連続セグメント表示装置２０Ａを遊技機の表示装置に適用した場合の使用方法を以下に示す。図６（ａ），（ｂ），（ｃ），（ｄ），（ｅ）は連続セグメント表示装置２０Ａの表示パターンの一例を示したものである。第１実施例と同様に黒く塗りつぶされたセグメントが実際には発光しているものとする。
【００２８】
第１実施例と同様に、連続セグメント表示装置２０Ａは、遊技機と連動して図６（ａ），（ｂ），（ｃ），（ｄ），（ｅ）に表されたように文字や数字等を表示することができる。
【００２９】
ここで、本実施例の連続セグメント表示装置２０Ａの表示パターンは、各セグメントによって格子状に構成されている。そのため、図６（ａ）に示したように、第２基本表示パターン１０Ａによって、第１実施例と同様に例示した数字「７」「２」「４」のように３個の数字を表示することもできるが、一方で、第２実施例においては、図６（ｂ）に示したように、７セグメント表示形態による文字や数字等を表示する従来の方法を用いれば、５個の数字「１」「２」「３」「４」「５」を表示することもできる。
【００３０】
そして、図６（ｃ）或いは図６（ｅ）に示したように、第２基本表示パターン１０Ａ及び隙間セグメント３０ａ，３０ｂ，３０ｃを予めプログラムされた点滅発光パターンにより、上段、中段、下段と順次点滅させ、それと連動して縦セグメント１１ａ，１１ｂ，１３ａ，１３ｂも順次点滅させれば、山模様、谷模様が交互に表示されて第１実施例と同様に、波模様等を表現することができ、動的な表現が可能になる。
【００３１】
また、上記のように格子状に構成された連続セグメント表示装置２０Ａの表示パターンは、複数個の略正方形をその表示パターン上に含む。そのため、図６（ｄ）に示したように各セグメント１１ａ，１３ａ，１２ａ，１２ｃ、によって上段側と下段側に略正方形を互い違いに表す点滅発光パターンの場合、表示される略正方形を順次点滅発光させることにより、その略正方形が上下に弾んでいるかのように表現することができる。さらに、時系列にしたがって、発光するセグメントを横方向へ順次点滅させていけば、横方向へ文字や数字等が移行するように表現することができる。
【００３２】
そして、格子状に構成された連続セグメント表示装置２０Ａの表示パターンによれば、表示された文字や数字、模様等を上下いずれかの方向へ順次点滅させて移行させるような点滅発光パターンを表すことができる。
【実施例３】
【００３３】
図７に第３実施例に係る第３基本表示パターン１０Ｂを示し、図８に３個の該第３基本表示パターン１０Ｂからなる連続セグメント表示装置２０Ｂを示す。
【００３４】
第３基本表示パターン１０Ｂは、第２実施例で示したセグメント表示部２０Ａの田の字形に配列されたセグメントのうち、「十」の字形を構成する部分を置き換えて構成したものであって、「十」の字の交差部分へ略四角形に形成された中央セグメント１４を配し、該中央セグメント１４の上下方向に縦長の五角形に形成された上下一対の中心縦セグメント１５ａ，１５ｂを配し、該中央セグメント１４の左右方向に横長の五角形に形成された中段横セグメント１６ａ，１６ｂを配して十の字形を構成したものである。
【００３５】
連続セグメント表示装置２０Ｂの表示パターンは、３個の第３基本表示パターン１０Ｂを等間隔に並べて、その間に、第１実施例及び第２実施例と同様に連結セグメント３０ａ，３０ｂ，３０ｃを配置して構成したものである。また、第２実施例と同様に、格子状に構成されている。ここで、各セグメントを形成する発光素子及び制御装置は、第１実施例及び第２実施例と同様であるため説明を省略する。
【００３６】
上記した構成の第３実施例に係る連続セグメント表示装置２０Ｂを遊技機の表示装置に適用した場合の使用方法を以下に示す。図９（ａ），（ｂ），（ｃ），（ｄ），（ｅ）は連続セグメント表示装置２０Ｂの表示パターンの一例を示したものである。第１実施例及び第２実施例と同様に、黒く塗りつぶされたセグメントが実際には発光しているものとする。
【００３７】
図９（ａ）に示した数字「７」「２」「４」、或いは図９（ｂ）の表示パターン例の左右両端に表示される「日」の字形のように、第３実施例において示す各表示パターンは、中央セグメント１４を配置したことによって、第３基本表示パターン１０Ｂの日の字形の中段の横線部分に、第１実施例の図３（ａ）や第２実施例の図６（ａ）に示されたような切り欠け部分が生じない。そのため、日の字形の中段に表示される横線部分を、完全な直線として表示することができる。
【００３８】
ここで、図９（ｂ）に示したように、「卍」の字形、或いは同図（ｃ）に示した「十」の字形の点滅発光パターンの場合、中央セグメント１４と、中段横セグメント１４ａ，１４ｂ及び中心縦セグメント１５ａ，１５ｂの点滅発光パターンを変えれば、例えば、中央セグメント１４を軸とし、中段横セグメント１４ａ，１４ｂ及び中心縦セグメント１５ａ，１５ｂを羽状に見立てた風車形のものが回動しているかのような点滅発光パターンを表すことができる。また、図９（ｄ），（ｅ）に示したような点滅発光パターンも第２実施例と同様に、表現することができる。
【図面の簡単な説明】
【００３９】
【図１】第１実施例に係る連続セグメント表示装置の基本表示パターンを示す正面図である。
【図２】第１実施例に係る連続セグメント表示装置を示す正面図である。
【図３】第１実施例に係る連続セグメント表示装置の表示パターンの一例を示した説明図である。
【図４】第２実施例に係る連続セグメント表示装置の第２基本表示パターンを示す正面図である。
【図５】第２実施例に係る連続セグメント表示装置を示す正面図である。
【図６】第２実施例に係る連続セグメント表示装置の表示パターンの一例を示した説明図である。
【図７】第３実施例に係る連続セグメント表示装置の第３基本表示パターンを示す正面図である。
【図８】第３実施例に係る連続セグメント表示装置を示す正面図である。
【図９】第３実施例に係る連続セグメント表示装置の表示パターンの一例を示した説明図である。
【符号の説明】
【００４０】
１０…基本表示パターン、１０Ａ…第２基本表示パターン、１０Ｂ…第３基本表示パターン、１１ａ，１１ｂ…縦セグメント、１２ａ，１２ｂ，１２ｃ…横セグメント、１３ａ，１３ｂ…第２実施例で追加した縦セグメント、１５ａ，１５ｂ…中心縦セグメント、１４…中央セグメント、１６ａ，１６ｂ…中段横セグメント、
２０，２０Ａ，２０Ｂ…連続セグメント表示装置、
３０ａ，３０ｂ，３０ｃ…連結セグメント。
【図１】
2008228952.tif 000003
【図２】
2008228952.tif 000004
【図３】
2008228952.tif 000005
【図４】
2008228952.tif 000006
【図５】
2008228952.tif 000007
【図６】
2008228952.tif 000008
【図７】
2008228952.tif 000009
【図８】
2008228952.tif 000010
【図９】
2008228952.tif 000011